(57)【要約】　　【課題】　引き戸、大型門扉、開き戸等の閉じ作動時に、一時的にストッパーを作動して戸又は扉の閉じ動作を停止し、戸又は扉と枠との間に人又はその一部が挟まれないようにする。【解決手段】　枠の戸を走行案内する走行レールに係止凹部を形成し、戸に該係止凹部に係止する方向の付勢力を付与したストッパーを設け、戸の閉じ方向作動の途中で該ストッパーが係止凹部に係止して戸の閉じ動作を停止するようにし、さらに係止凹部とストッパーとの係合を解除する係合解除機構を設けてある。【選択図】　　図１
2004108140.tif 000002
【特許請求の範囲】
【請求項１】
　枠の戸を走行案内するレールに係止凹部を形成し、戸に該係止凹部に係止する方向の付勢力を付与したストッパーを設け、戸の閉じ方向作動の中途で該ストッパーが係止凹部に係止して戸の閉じ動作を停止するようにし、さらに係止凹部とストッパーとの係合を解除する係合解除機構を設けてある戸閉り安全装置。
【請求項２】
　上記ストッパーを第１ストッパーとし、これとは別に第２ストッパーを設け、この第２ストッパーにより戸の最終閉じ直前で戸の閉じ動作を停止するようにし、上記第２ストッパーの閉じ動作を解除する解除機構を設けてある上記請求項１記載の戸閉り安全装置。
【請求項３】
　上記解除機構をストッパーと操作ハンドルの間に設けた連結リンク機構により構成してある上記請求項１又は２に記載の戸閉り安全装置。
【発明の詳細な説明】
【技術分野】
【０００１】
　本発明は、引き戸、大型門扉、開き戸等の戸閉り安全装置に関する。
【背景技術】
【０００２】
　引き戸、大型門扉、開き戸等は、これらが閉じられる際は、枠に密着するようになっている。これら戸又は扉の閉じ作動時最終域で人の身体又はその一部が戸又は扉と枠の間に挟まれて怪我をする危険性がある。
　エレベータードア―の戸閉り安全装置は知られているが、一般的な引き戸、大型門扉、開き戸等において人又はその一部が戸又は扉と枠の間に挟まれて怪我をするのを防止する戸閉り安全装置はなかった。
【発明の開示】
【発明が解決しようとする課題】
【０００３】
　従前の通常の引き戸、大型門扉、開き戸等は戸閉り安全装置がなかったため、戸、扉の閉じ作動最終域で、戸又は扉と枠との間に人又はその一部が挟まれて怪我をするおそれがあるという課題があった。特に老人、障害者等、迅速な動きができない人は、その危険性が高いという課題があった。
　本発明は、上記課題に鑑み、引き戸、大型門扉、開き戸等の閉じ作動時に、一時的にストッパーを作動して戸又は扉の閉じ動作を停止し、戸又は扉と枠との間に人又はその一部が挟まれないようにする。
【課題を解決するための手段】
【０００４】
　そのために、本発明戸閉り安全装置は、枠の戸を走行案内するレールに係止凹部を形成し、戸に該係止凹部に係止する方向の付勢力を付与したストッパーを設け、戸の閉じ方向作動の中途で該ストッパーが係止凹部に係止して戸の閉じ動作を停止するようにし、さらに係止凹部とストッパーとの係合を解除する係合解除機構を設けてある。
【０００５】
　また、本発明戸閉り安全装置は、上記ストッパーを第１ストッパーとし、これとは別に第２ストッパーを設け、この第２ストッパーにより戸の最終閉じ直前で戸の閉じ動作を停止するようにし、上記第２ストッパーの閉じ動作を解除する解除機構を設けてある。
　さらに、上記解除機構をストッパーと操作ハンドルの間に設けた連結リンク機構により構成してある。
【発明の効果】
【０００６】
　本発明の戸閉り安全装置は、枠の戸を走行案内するレールに係止凹部を形成し、戸に該係止凹部に係止する方向の付勢力を付与したストッパーを設け、戸の閉じ方向作動の中途で該ストッパーが係止凹部に係止して戸の閉じ動作を停止するようにしてあるから、戸はその閉じ動作中、自動的にその閉じ動作を一時的に停止し、戸と枠の間に人又はその一部が介在したとしても、戸と枠との間に挟み込むことなく、怪我等することのない、安全であるという効果を有する。
　さらに本発明の戸閉り安全装置は、上記係止凹部とストッパーとの係合を解除する係合解除機構を設けてあるから、上記戸の一時停止の後、この一時停止を解除し、安全確認した上で戸を閉鎖することができる効果がある。
【０００７】
　さらに、本発明の戸閉り安全装置は、上記ストッパーを第１ストッパーとし、これとは別に第２ストッパーを設け、この第２ストッパーにより戸の最終閉じ直前で戸の閉じ動作を停止するようにしてあるから、戸の最終閉じ直前で戸と枠の間に指等を挟むことなく、従って指等を怪我することのない安全効果を得られる。
　そして、上記第２ストッパーの閉じ動作を解除する解除機構を設けてあるから、戸の最終閉じ直前の停止を解除し、手指等の挟み込みがない安全確認をして戸を閉鎖することができる効果を有する。
　また、本発明の戸閉り安全装置は、上記解除機構をストッパーと操作ハンドルの間に設けた連結リンク機構により構成してあるから、人手により操作でき、安全確認しながら戸の閉じ動作ができ，この点でも安全であるという効果がある。
【発明を実施するための最良の形態】
【０００８】
　本発明の戸閉り安全装置は、通常の引き戸のフレームに装備して枠の戸を走行案内するレールに設けた係止凹部と協働して安全機能を発揮するが、大型の門扉に装備することもでき、開き戸に装備することもできる。この本発明装置を開き戸に装備する場合には、下記する走行コロの向きを引き戸の走行コロの向きと９０°変向することで機能する。　
【実施例１】
【０００９】
　図面に示した好ましい実施例により本発明装置の詳細を説明する。図１乃至図５に好ましい第１実施例を示してある。図中符号１が引き戸でそのフレーム１０に後述する本発明安全装置の主要部が装備してある。このフレーム１０は左右の垂直な縦フレーム１１と水平な上フレーム（図示せず）と下フレーム１２とを有し，下フレーム１２に走行コロ１３，１３を取付けてある。
　また、図中符号２が枠で、左右の垂直な縦枠２０と上枠（図示せず）と下枠２１とを有し、下枠２１に引き戸の走行コロ１３を走行案内する走行レール２２を設けてある。そして、この引き戸１は、公知の引き戸同様、閉鎖したときはその縦フレーム１１が枠２の縦枠２０に密着するようにしてある。
　この走行レール２２には、後述する安全装置の第１ストッパーを係止する係止凹部２３を形成してある。
【００１０】
　本発明戸閉り安全装置の第１実施例の主要部は、引き戸１の下フレーム１２の側面に設けたストッパー３１であり、このストッパー３１は走行レール２２の係止凹部２３に係止する方向の付勢力が付与されている。そのためにこのストッパー３１は引き戸１の下フレーム１２に中間で軸支３２したアーム３３の先端に下向きに突出して設けてあり、アーム３３の後端と下フレーム１２間に牽引スプリング３４を架設してある。また、このアーム３３には走行コロ３５を設けてあり、走行レール２２上を走行するようにしてある。そして、このストッパー３１を後述する第２ストッパーに対して第１ストッパーとする。
　この第１ストッパー３１と係止凹部２３との位置関係は、引き戸１が閉じ方向に引かれて、第１ストッパー３１が係止凹部２３に係止した位置（図２図示）で引き戸１と枠２との間に人の身体を挟まない程度の間隔があるようにしてある。
【００１１】
　図中符号３０が上記係止凹部２３と第１ストッパー３１との係合を解除するための係合解除機構４０を操作する操作ハンドルで、引き戸１の縦フレーム１１に軸支３７して設けてある。係合解除機構４０は操作ハンドル３０と第１ストッパー３１との間に設けた連結リンク機構により構成してある。
　この連結リンク機構は、第１ストッパー用縦リンク４１と、第１ストッパー用仲介リンク４２と、支持リンク４３と、第１ストッパー用仲介Ｌ字リンク４４と、第１ストッパー用横リンク４５と、第１ストッパー用Ｌ字リンク４６を連結して構成してある。
【００１２】
　第１ストッパー用縦リンク４１は、その上端を操作ハンドル３０の軸支部３７より先の操作部３６に軸支３８してあり、下端を第１ストッパー用仲介リンク４２の中間部に軸支連結４７してある。支持リンク４３の基端を縦フレーム１１に軸支４８してあり、支持リンク４３の自由端に第１ストッパー用仲介リンク４２の上端を軸支連結４９してある。第１ストッパー用仲介Ｌ字リンク４４の屈曲部をフレーム１０の縦フレーム１１と下フレーム１２の境界位置に軸支５０して該第１ストッパー用仲介Ｌ字リンク４４を支持してあり、第１ストッパー用仲介リンク４２の下端を第１ストッパー用仲介Ｌ字リンク４４の一端に軸支連結５１してある。第１ストッパー３１の近くの位置の下フレーム１２の位置に第１ストッパー用Ｌ字リンク４６の屈曲部を軸支してあり、第１ストッパー用横リンク４５の一端を第１ストッパー用Ｌ字リンク４６の一端に軸支連結５３し、第１ストッパー用横リンク４５の他端を第１ストッパー用仲介リンク４４の他端に軸支連結５４してある。そして、第１ストッパー用Ｌ字リンク４６の他端は第１ストッパー３１に連結してあるが、アーム３３に設けた起立片３９に形成した長孔５５に第１ストッパー用Ｌ字リンク４６の他端に突設した連結ピン５７を遊挿させてある。
【００１３】
　図中６０が縦フレーム１１の中間位置左端部に回動して枠２側に突出するよう出入可能に設けた第２ストッパーで、この第２ストッパー６０が突出することにより、枠２の縦枠２０に当って枠２と引き戸１との間に僅かな間隔を形成して手指等を挟むことがないようにしてある。この第２ストッパー６０と操作ハンドル３０との間に第２ストッパー６０の突出を解除して引き込める作動をする解除機構６１を設けてある。この解除機構６１は、第２ストッパー用縦リンク６２と、第２ストッパー用Ｌ字リンク６３と、作動リンク６４とを連結して構成してある。第２ストッパー用縦リンク６２の下端は操作ハンドル３０の操作部３６の先端に軸支連結６５してあり、上端を第２ストッパー用Ｌ字リンク６３の下端に軸支連結６６してあり、第２ストッパー用Ｌ字リンク６３の上端と作動リンク６４の一端とを軸支連結６７してあり、作動リンク６４の先端を第２ストッパー６０に連結してある。
【００１４】
　上記の通りの構成からなる第１実施例の作動につき説明する。
　先ず、図１が引き戸１の閉じ移動の途中位置を示してあり、この位置からさらに図左方向に閉じ移動して第１ストッパー３１が走行レール２２の係止凹部２３位置に達すると、第１ストッパー３１がスプリング３４の牽引力により下向きの付勢力が付与されているため、下動し係止凹部２３に係止し、引き戸１がその移動を停止する（図２図示）。従って引き戸１と枠２との間に間隔が確保され、人を挟むことを防止する。
【００１５】
　この状態で図３に示すように操作ハンドル３０を回動操作して係合解除機構４０の第１ストッパー用縦リンク４１を引き上げると、これに連結された各リンクが作動し、第１ストッパー３１を引き上げて係止凹部２３との係合を解除する。
　同時に操作ハンドル３０の回動操作により第２ストッパー用縦リンク６２が押し上げられ、リンク機構を介して、第２ストッパー６０を引き戸１の縦フレーム１１から枠方向に突出する（第３図示）。
　そこで引き戸１をさらに閉じ移動すると図４に示すように第２ストッパー６０が枠２の縦枠２０に当り、引き戸１と枠２との間に僅かな間隔を確保し、手指等を挟むことがない。その後、操作ハンドル３０を戻せば第２ストッパー６０が引き込み、引き戸１を枠２に閉鎖できる（図５図示）。
【実施例２】
【００１６】
　次に図６乃至図１２に第２実施例を示してある。図６には第２実施例の正面図が示してあり、第２ストッパーとその解除機構が示してあり、その詳細は後述する。
　図７に第２実施例の背面図が示してあり、第１ストッパーとその解除機構が示してある。この第２実施例の図面中、図１乃至図５に示した実施例と同じ符号を付した部材は同様の部材である。
　即ち、この第２実施例は、第１ストッパー３１、操作ハンドル３０、係合解除機構４０を有し、この係合解除機構４０は、第１ストッパー用縦リンク４１、第１ストッパー用仲介リンク４２、第１ストッパー用仲介Ｌ字リンク４４、第１ストッパー用横リンク４５、第１ストッパー用Ｌ字リンク４６を有し、第１実施例の第１ストッパー３１及び解除機構４０と同様の作動をする。第１実施例と相違する構成は、操作ハンドル３０の操作部３６にＬ字リンク６９を固定し、その先端に第１ストッパー用縦リンク４１の上端を軸支連結６８して、操作ハンドル３０を上方に上げ回動することによりリンク機構を牽引し、第１ストッパー３１を上げ作動して係止凹部２３との係合を解除するようにしてある。
【００１７】
　図６に示す第２ストッパー７０は、第１ストッパー３１と同じ構造をしており、この第２ストッパー７０は、第１ストッパー３１より僅かに位置をずらせて設けてある。この第２ストッパー７０のための解除機構８０は、第１ストッパーの解除機構同様、第２ストッパー用縦リンク８１、第２ストッパー用仲介リンク８２、第２ストッパー用仲介Ｌ字リンク８４、第２ストッパー用横リンク８５及び第２ストッパー用Ｌ字リンク８６からなり、これらが操作ハンドル３０と第２ストッパー７０との間に第１ストッパーの解除機構４０及び第１実施例の第１ストッパー解除機構４０と同様に構成されている。
　ただ、第１ストッパーの解除機構と相違するところは、第２ストッパー用縦リンク８１の上端を操作ハンドル３０の操作部３６の先端に軸支連結８７してあり、操作ハンドル３０を下方に回動操作して各リンクを牽引し、第２ストッパー７０と係止凹部２３との係合を解除するようにしてある。
【００１８】
　上記の通りの構成からなる本発明装置の第２実施例の作動につき説明する。
　図６及び図７に引き戸１の閉じ移動の途中位置を示してあり、この位置からさらに図６上左方向、図７上右方向に閉じ移動して、第１ストッパー３１が係止凹部２３位置に達すると、図８に示すように係止凹部２３に係止し、引き戸１がその移動を停止する。従って引き戸１と枠２との間に間隔が確保され、人を挟むことがない。
【００１９】
　この状態で図９に示すように操作ハンドル３０を上向きに回動操作して、係合解除機構４０の第１ストッパー用縦リンク４１を引き上げると、これに連結された各リンクが作動し、第１ストッパー３１を引き上げて係止凹部２３との係合を解除する（図９図示）。
　この状態から引き戸１を閉じ移動すると、次に第２ストッパー７０が係止凹部２３に係止し、引き戸１の移動を停止する。この位置で引き戸１と枠２との間に僅かな間隔が保たれ、人の手指を挟み込むことはない（図１０図示）。
　さらに操作ハンドル３０を下向き回動すると、第２ストッパー７０と係止凹部２３との係合が解除され（図１１図示）、さらに引き戸１を閉じると枠と密着し、引き戸１は閉鎖される。
【図面の簡単な説明】
【００２０】
【図１】本発明戸閉り安全装置の第１実施例の正面図。
【図２】上記第１実施例の第１ストッパーの作動による引き戸の停止状態の正面図。
【図３】上記第１ストッパーの停止解除状態の正面図。
【図４】同じく第１実施例の第２ストッパーの作動による引き戸の最終閉鎖直前の停止状態の正面図。
【図５】上記第１実施例の最終閉じ状態の正面図。
【図６】本発明戸閉り安全装置の第２実施例の正面図で、第２ストッパーを示す。
【図７】上記第２実施例の背面図で、第１ストッパーを示す。
【図８】同じく上記第２実施例の背面図で、第１ストッパーの作動による引き戸の停止状態を示す。
【図９】同じく第１ストッパーの停止解除状態を示す図。
【図１０】同じく第２実施例の正面図で第２ストッパーの停止状態を示す図。
【図１１】同じく第２ストッパーの停止解除状態の正面図。
【図１２】上記第２実施例の最終閉じ状態の正面図。
【符号の説明】
【００２１】
　　１　引き戸
　　２　枠
　１０　フレーム
　１１　縦フレーム
　１２　下フレーム
　１３　走行コロ
　２０　縦枠
　２１　下枠
　２２　走行レール
　２３　係止凹部
　３０　操作ハンドル
　３１　第１ストッパー
　３２　軸支
　３３　アーム
　３４　スプリング
　３５　走行コロ
　３６　操作部
　３７，３８　軸支
　３９　起立片
　４０　係合解除機構
　４１　第１ストッパー用縦リンク
　４２　第１ストッパー用仲介リンク
　４３　支持リンク
　４４　第１ストッパー用仲介Ｌ字リンク
　４５　第１ストッパー用横リンク
　４６　第１ストッパー用Ｌ字リンク
　４７，４９，５１，５３，５４　軸支連結
　４８，５０，５２　軸支
　５５　長孔
　５７　連結ピン
　６０　第２ストッパー
　６１　解除機構
　６２　第２ストッパー用縦リンク
　６３　第２ストッパー用Ｌ字リンク
　６４　作動リンク
　６５，６６，６７，６８　軸支連結
　６９　Ｌ字リンク
　７０　第２ストッパー
　８０　解除機構
　８１　第２ストッパー用縦リンク
　８２　第２ストッパー用仲介リンク
　８４　第２ストッパー用仲介Ｌ字リンク
　８５　第２ストッパー用横リンク
　８６　第２ストッパー用Ｌ字リンク
【図１】
2004108140.tif 000003
【図２】
2004108140.tif 000004
【図３】
2004108140.tif 000005
【図４】
2004108140.tif 000006
【図５】
2004108140.tif 000007
【図６】
2004108140.tif 000008
【図７】
2004108140.tif 000009
【図８】
2004108140.tif 000010
【図９】
2004108140.tif 000011
【図１０】
2004108140.tif 000012
【図１１】
2004108140.tif 000013
【図１２】
2004108140.tif 000014